(57)【要約】【課題】ある光ディスク記録装置で記録した書換型光ディスクを別の光ディスク記録装置でオーバーライトしても、ジッタが悪化せずエラーレートの低いデータを得られる光ディスク記録方法及び光ディスク記録装置を提供する。【解決手段】書換型光ディスクにオーバーライトする（上書き）する際に、書換型光ディスクの情報記録領域の旧データが記録された部分に、所定量ずつ消去パワーを変化させながら複数段階（例えば１５段階）の消去パワーのレーザ光を連続的に照射して、書換型光ディスクに記録された旧データを試し消去する。そして、試し消去した旧データ部分に再生レベルのレーザ光を照射して再生を行い、再生信号中の雑音レベルが最小となる部分に照射したレーザ光の消去パワーレベルを最適消去パワーとして設定する。これにより、旧データを確実に消去して、旧データの消し残りなどの影響が、新たに記録するデータに及ぶのを防止できる。【選択図】図８
2004273074.tif 000002
【特許請求の範囲】
【請求項１】
書換型光ディスクの情報記録領域に記録されている旧データ上に新データを上書きする時に、この旧データに対して消去パワーのレーザ光を連続的に照射して試し消去を行い、前記試し消去の結果に応じて最適な消去パワーを設定し、この消去パワーを適用して新データを上書きすることを特徴とする光ディスク記録方法。
【請求項２】
書換型光ディスクの情報記録領域に記録されている旧データ上に新データを上書きする時に、この旧データに対して消去パワーのレーザ光を連続的に照射して試し消去を行い、前記試し消去の結果に基づいて第１の最適消去パワーを決定し、
前記書換型光ディスクの試し書き領域で試し書きを行って第２の最適消去パワーを決定し、
前記第１の最適消去パワー及び前記第２の最適消去パワーから上書き時の消去パワーを設定し、
この上書き時の消去パワーを適用して新データを上書きすることを特徴とする光ディスク記録方法。
【請求項３】
前記第１の最適消去パワーが前記第２の最適消去パワーよりも小さい場合は、前記第２の最適消去パワーを上書き時の消去パワーに設定し、
前記第１の最適消去パワーが前記第２の最適消去パワーよりも大きい場合は、前記第１の最適消去パワーを上書き時の消去パワーに設定する請求項２に記載の光ディスク記録方法。
【請求項４】
前記消去パワーを所定量ずつ変化させて複数段階の消去パワーのレーザ光を連続的に照射して、試し消去を行う請求項１または２に記載の光ディスク記録方法。
【請求項５】
前記試し消去した旧データ部分を再生して、再生信号中の雑音が所定値以下である部分を検出し、この部分に照射したレーザ光の消去パワーを前記最適な消去パワーに設定することを特徴とする請求項１または２に記載の光ディスク記録方法。
【請求項６】
前記再生信号中の雑音が所定値以下である部分が複数ある場合、最小の消去パワーを最適な消去パワーに設定する請求項５に記載の光ディスク記録方法。
【請求項７】
書換型光ディスクにレーザを照射するレーザ光照射手段と、
書換型光ディスクの情報記録領域に記録されている旧データに対して、前記レーザ光照射手段に消去パワーのレーザ光を連続的に照射させて試し消去を行い、この試し消去の結果に応じて最適な消去パワーを設定し、この消去パワーを適用して前記レーザ光照射手段に新データを上書きさせる制御手段と、を備えたことを特徴とする光ディスク記録装置。
【請求項８】
書換型光ディスクにレーザを照射するレーザ光照射手段と、
書換型光ディスクの情報記録領域に記録されている旧データに対して、前記レーザ光照射手段に消去パワーのレーザ光を連続的に照射させて試し消去を行い、この試し消去の結果に応じて第１の最適消去パワーを決定し、
前記書換型光ディスクの試し書き領域に記録パワーのレーザ光を照射させて試し書きを行い、この試し書きの結果に応じて第２の最適消去パワーを決定し、
前記第１の最適消去パワー及び前記第２の最適消去パワーから上書き時の消去パワーを設定し、この上書き時の消去パワーを適用して前記レーザ光照射手段に新データを上書きさせる制御手段と、を備えたことを特徴とする光ディスク記録装置。
【発明の詳細な説明】
【０００１】
【発明の属する技術分野】
書換型光ディスクにデータを上書きする際に、光ディスクに記録された旧データを試し消去し、この部分を再生して最適な消去パワーを決定し、この消去パワーを適用してデータを記録する光ディスク記録方法、及び光ディスク記録装置に関する。
【０００２】
【従来の技術】
書換型光ディスクには、ＣＤ−ＲＷ、ＤＶＤ−ＲＷ、ＤＶＤ＋ＲＷ、ＤＶＤ−ＲＡＭなどがあり、これらはメーカーによって、また同じメーカーの書換型光ディスクでも型式によって記録特性が異なっている。光ディスク記録装置は、通常、書換型光ディスクにデータを書き込む際に、光ディスクに記録されている書換型光ディスクの識別情報（ディスクＩＤ）を検出するとともに、ＯＰＣ（Ｏｐｔｉｍｕｍ  Ｐｏｗｅｒ  Ｃｏｎｔｒｏｌ：最適記録パワー決定動作）を行って、その書換型光ディスク  に最適な記録パワー値を決定し、記録品位が最適となるように記録条件を調整してからデータの書き込みを行っている（例えば、特許文献１参照。）。
【０００３】
【特許文献１】
特開平１１−７６４５号公報（第５−７頁、第５，６図）
【０００４】
【発明が解決しようとする課題】
しかしながら、特許文献１に記載の光ディスク装置では、他の光ディスク装置でデータを記録した光ディスクにオーバーライト（上書き）を行って、この光ディスクを再生すると、ジッタが悪くエラーレートが高い場合があるという問題があった。
【０００５】
これは、光ディスク記録装置は、メーカーや型式が異なると記録条件が異なっているのに対して、特許文献１に記載の光ディスク装置では、自装置の装置識別情報と書き込み可能な光ディスクのディスク識別情報とを対応させて記憶しているため、他の光ディスク装置でデータを記録した光ディスクにオーバーライト  （上書き）を行う場合には、ＯＰＣを行わなければ最適記録パワー値を求めることができなかったからである。また、ＯＰＣを行って最適記録パワー値を求めてからデータを記録しても、旧データを記録した光ディスク記録装置と記録条件が異なるために、旧データを完全に消去できない場合があるからである。
【０００６】
光ディスク記録装置は、メーカーや型式によって書換型光ディスクに照射するレーザ光の記録パワー、消去パワー、ボトムパワーなどの設定が異なるため、以下のような記録特性を示す。図１は、書換型光ディスクのオーバーライト回数とジッタとの関係、及び異なる記録パワーで光ディスクにオーバーライトを行った時のジッタの変化を示したグラフである。なお、図１には、同じ型式の書換型光ディスクに対して、異なる記録パワーで連続してオーバーライトした場合を示している。また、記録パワーの大きさはＰ２ｗ＜Ｐ０ｗ＜Ｐ１ｗで、Ｐ０ｗが最適記録パワーである。
【０００７】
（１）書換型光ディスクは、照射されるレーザ光の記録パワーに応じて、再生時のジッタ及びオーバーライトの実行可能回数が異なる値となる。すなわち、図１（Ａ）に示すように、書換型光ディスクに対して最適記録パワーＰ０ｗで記録した場合、１回目でジッタが悪化するが、オーバーライトの回数が増えるに連れてジッタが徐々に改善する。そして、１０回程度オーバーライトを行うと、それ以降はジッタが安定し、１０００回を超えると急激にジッタが悪化する。したがって、ユーザは、書換型光ディスクに対して最適記録パワーＰ０ｗで記録した場合、Ｏｒａｎｇｅ  Ｂｏｏｋ  Ｐａｒｔ３に規定された書換可能回数である１０００回はオーバー  ライトを行うことができる。
【０００８】
また、書換型光ディスクに対して最適記録パワーＰ０ｗよりも強い記録パワーＰ１ｗで記録した場合、オーバーライト回数が少ない時でもジッタが悪化せず安定しており、また、最適記録パワーＰ０ｗの時よりも常にジッタが良い。しかしながら、光ディスクの劣化が早く、１０００回よりも少ないオーバーライト回数で急激にジッタが悪化する。したがって、ユーザは、書換型光ディスクに対して記録パワーＰ１ｗで記録した場合、書換型光ディスクの寿命が短くなってしまうため、１０００回よりも大幅に少ない回数しかオーバーライトを行うことができない。
【０００９】
一方、書換型光ディスクに対して最適記録パワーＰ０ｗよりも弱い記録パワーＰ２ｗで記録した場合、最適記録パワーＰ０ｗの場合と同様の特性を示すが、ジッタの値は最適記録パワーＰ０ｗの時よりも常に悪い値となる。また、光ディスクの劣化が遅く、オーバーライトを１０００回以上行うとジッタが悪化する。したがって、ユーザは、書換型光ディスクに対して記録パワーＰ２ｗで記録した場合、書換型光ディスクの寿命が長くなるため、１０００回よりも多くオーバーライトを行うことができる。
【００１０】
（２）書換型光ディスクは、ある記録パワーでデータを記録後に、異なる記録パワーでオーバーライトすると、ジッタが変化する。すなわち、光ディスクに照射するレーザ光の記録パワーがＰ２ｗ＜Ｐ０ｗ＜Ｐ１ｗの関係である場合、図１（Ｂ）に示すように、書換型光ディスクに対して記録パワーＰ２ｗで記録後に、記録パワーＰ０ｗ（＞Ｐ２ｗ）でオーバーライトすると、ジッタが良くなる。また、書換型光ディスクに対して記録パワーＰ０ｗで記録後に、同じ記録パワーＰ０ｗでオーバーライトすると、ジッタは変化しない。一方、書換型光ディスクに対して記録パワーＰ１ｗで記録後に記録パワーＰ０ｗ（＜Ｐ１ｗ）でオーバーライトすると、ジッタが悪くなる。
【００１１】
（３）書換型光ディスクは、照射されるレーザ光のスポット形状が同じ場合、形成されるピットの幅は記録パワーの強さに比例している。図２は、書換型光ディスクに形成されるピットの形状を示した図である。例えば、光ディスクに照射するレーザ光の記録パワーの関係がＰ２ｗ＜Ｐ０ｗ＜Ｐ１ｗである場合、図２に示すように、記録パワーが大きくなるのに従って、ピットの幅が大きくなり、各ピットの幅はＷ２＜Ｗ０＜Ｗ１の関係となる。また、光ディスクに照射するレーザ光の消去パワーの関係がＰ２ｅ＜Ｐ０ｅ＜Ｐ１ｅである場合、消去パワーが大きくなるのに従って、消去範囲が広くなる。
【００１２】
図２に示した例では、記録パワーＰ２ｗのレーザ光を照射して形成したピットは、レーザ光の消去パワーがＰ２ｅ以上であれば完全に消去できる。つまり、消去パワーがＰ２ｅ，Ｐ０ｅ，Ｐ１ｅで消去できる。また、記録パワーＰ０ｗのレーザ光を照射して形成したピットは、レーザ光の消去パワーがＰ０ｅ以上であれば完全に消去できる。つまり、消去パワーがＰ０ｅ，Ｐ１ｅで完全に消去できるが、消去パワーがＰ２ｅでは完全には消去できず端部が残ってしまう。さらに、記録パワーＰ１ｗのレーザ光を照射して形成したピットは、レーザ光の消去パワーがＰ１ｅ以上であれば完全に消去できる。つまり、消去パワーがＰ１ｅで完全に消去できるが、消去パワーがＰ２ｅ，Ｐ０ｅでは完全には消去できず、端部が残ってしまう。
【００１３】
したがって、旧データを記録した光ディスク記録装置と異なる光ディスク記録装置で書換型光ディスクにオーバーライトすると、以下のような現象が発生する。図３は、書換型光ディスクにオーバーライトする際のイメージ図である。すなわち、図３（Ａ）に示すように、書換型光ディスクに対して、記録パワーＰ２ｗで記録後に消去パワーＰ０ｅ、記録パワーＰ０ｗ（＞Ｐ２ｗ）のレーザ光を照射してオーバーライトした場合、記録パワーＰ２ｗのレーザ光を照射して形成した元のピットは、照射パワーＰ０ｅのレーザ光によって完全に消去されるので、記録パワーＰ２ｗで形成したピットが残らない。また、記録パワーＰ０ｗのレーザ光を照射してピットを形成すると、図１（Ｂ）に示したように記録パワーＰ０ｗのレーザ光を照射した方がジッタが良いので、ジッタが改善されてエラーレートが低くなる。
【００１４】
一方、図３（Ｂ）に示すように、書換型光ディスクに対して、記録パワーＰ１ｗで記録後に消去パワーＰ０ｅ、記録パワーＰ０ｗ（＜Ｐ１ｗ）のレーザ光を照射してオーバーライトした場合、記録パワーＰ１ｗレーザ光を照射して形成した元のピットは、消去パワーＰ０ｅのレーザ光を照射しても消去範囲が狭いために完全に消去されずに端部が残ってしまう。また、記録パワーＰ０ｗのレーザ光を照射して形成したピットは、記録パワーＰ１ｗのレーザ光を照射して形成したピットよりも幅が狭いため、元のピットの端部と新しく形成したピットとが重なる部分ができる。そのため、ジッタが悪くなりエラーレートが高くなる。
【００１５】
また、光ディスク記録装置では、メーカーや型式によってライトストラテジの設定が異なっている。図４は、書換型光ディスク用のライトストラテジの一例である。さらに、一般的に書換型光ディスクのレーザパワーの制御は、ライトストラテジを設定して行うが、ファームウェアのバージョンを変更した際に、記録パワーＰｗ、消去パワーＰｅ、及びボトムパワーＰｂが同時に変更されたり、これらのいずれかが変更されたりする。このように、記録パワーＰｗ、消去パワーＰｅ、またはボトムパワーＰｂの少なくともいずれかが変更されると、同じ光ディスク記録装置であっても、前に記録したデータを完全に消去できずにピットの端部が残って、ジッタが悪くなりエラーレートが高くなる。
【００１６】
光ディスク記録装置が光ディスクに照射するレーザ光のスポット形状は、光ディスク記録装置のメーカーによって異なっている。図５は、光ディスク記録装置のレーザ光のスポット形状及び書換型光ディスクに形成されるピットの形状を示した図である。図５に示すように、書換型光ディスクがＣＤ−ＲＷの場合、光ディスク記録装置のスポット形状は、Ａ社製が縦長の楕円形、Ｂ社製が横長の楕円形、Ｃ社製が斜め方向に長い楕円形である。また、書換型光ディスクがＤＶＤ−ＲＷ、ＤＶＤ＋ＲＷ、ＤＶＤ−ＲＡＭの場合、光ディスク記録装置のスポット形状はさらに円形のものもある。
【００１７】
このようにレーザ光のスポット形状が異なっているため、書換型光ディスクに形成されるピットの形状（幅）は、図５に示したように、光ディスクの記録装置のメーカーによって異なったものとなる。そのため、あるメーカーの光ディスク記録装置でデータを記録した書換型光ディスクに、別のメーカーの光ディスク記録装置でデータをオーバーライトした場合、記録パワーや消去パワーが同じ値に設定されていたとしても、図３（Ｂ）に基づいて説明した現象と同様の現象が発生する。すなわち、図５（Ａ）に示したスポット形状のレーザ光を照射して書換型光ディスクＤにデータを記録後に、図５（Ｂ）に示したスポット形状のレーザ光を照射してデータのオーバーライトした場合には、元のピットの端部が消去されずに残るため、ジッタが悪くなりエラーレートが高くなる。一方、図５（Ｂ）に示したスポット形状のレーザ光を照射して書換型光ディスクＤにデータを記録後に、図５（Ａ）に示したスポット形状のレーザ光を照射してデータのオーバーライトした場合には、元のピットが完全に消去されるので、ジッタが良くなり、エラーレートが低くなる。
【００１８】
また、光ディスク記録装置では、一般的に、記録速度を変更した場合でも、同じ幅（形状）のピットが形成され、オーバーライトする場合には、旧データが完全に消去できるように記録パワーや消去パワーが設定されている。しかしながら、レーザダイオードや書換型光ディスクの材料のばらつきなどにより、記録速度が異なると、形成されるピットの幅（形状）が異なり、オーバーライトする場合には、以前に形成したピットを完全に消去できない場合がある。例えば、４倍速で記録した書換型光ディスクに１倍速でオーバーライトすると、４倍速で記録したピットを完全に消去できないために、ジッタが悪くなってエラーレートが高くなる場合がある。
【００１９】
以上のように、従来の光ディスク記録装置では、メーカー、型式、ファームウェアのバージョン、記録速度などによって書換型光ディスクに照射するレーザ光の記録パワー、消去パワー、ボトムパワー、ライトストラテジ、スポット形状などの記録条件が異なっていた。また、書換型光ディスクは、記録条件に応じて記録特性が異なっていた。そのため、ある光ディスク記録装置でデータを記録した書換型光ディスクに対して、別の光ディスク記録装置でオーバーライトすると、書換型光ディスクに形成されたピットを完全に消去したり、新たなピットで元のピットを覆うように形成することができないために、ジッタが悪くなりエラーレートが高くなっていた。
【００２０】
そこで、本発明は、ある光ディスク記録装置で記録した書換型光ディスクを別の光ディスク記録装置でオーバーライトしても、ジッタが悪化せずエラーレートの低いデータを得られる光ディスク記録方法及び光ディスク記録装置を提供することを目的とする。
【００２１】
【課題を解決するための手段】
この発明は、上記の課題を解決するための手段として、以下の構成を備えている。
【００２２】
（１）書換型光ディスクの情報記録領域に記録されている旧データ上に新データを上書きする時に、この旧データに対して消去パワーのレーザ光を連続的に照射して試し消去を行い、前記試し消去の結果に応じて最適な消去パワーを設定し、この消去パワーを適用して新データを上書きすることを特徴とする。
【００２３】
別の光ディスク記録装置でデータを記録した書換型光ディスクに対してデータを上書きする場合、旧データの方が記録パワーが強いなど記録条件が異なると、旧データを完全に消去することができずに、上書きした新データのジッタが悪くなりエラーレートが高くなることがある。この構成においては、書換型光ディスクの情報記録領域に記録された旧データを試し消去して、旧データを完全に消去することができる最適な消去パワーを設定し、この消去パワーを適用してデータを上書きするので、旧データを完全に消去して旧データの影響を受けることなく新データを再生することが可能となる。
【００２４】
（２）書換型光ディスクの情報記録領域に記録されている旧データ上に新データを上書きする時に、この旧データに対して消去パワーのレーザ光を連続的に照射して試し消去を行い、前記試し消去の結果に基づいて第１の最適消去パワーを決定し、
前記書換型光ディスクの試し書き領域で試し書きを行って第２の最適消去パワーを決定し、
前記第１の最適消去パワー及び前記第２の最適消去パワーから上書き時の消去パワーを設定し、
この上書き時の消去パワーを適用して新データを上書きすることを特徴とする。
【００２５】
試し消去を行って最適消去パワーを設定した場合、消去パワーが大きい値に設定されると、レーザダイオードや書換型光ディスクの劣化が進むおそれがある。この構成においては、試し消去の結果に応じて決定した第１の最適消去パワーと、試し書きの結果に応じて決定した第２の最適消去パワーと、から上書き時の消去パワーを設定するので、例えば、第２の最適消去パワーに基づいて、旧データの雑音レベルが問題ない範囲で第１の最適消去パワーを補正して、この値を上書き時の消去パワーに設定することができる。これにより、書換型光ディスクにレーザ光を照射するレーザダイオードや書換型光ディスクの劣化を抑制できる。
【００２６】
（３）前記第１の最適消去パワーが前記第２の最適消去パワーよりも小さい場合は、前記第２の最適消去パワーを上書き時の消去パワーに設定し、
前記第１の最適消去パワーが前記第２の最適消去パワーよりも大きい場合は、前記第１の最適消去パワーを上書き時の消去パワーに設定することを特徴とする。
【００２７】
この構成においては、書換型光ディスクの情報記録領域に記録された旧データを、図１（Ｂ）Ｐ２ｗ→Ｐ０ｗの結果及びＰ１ｗ→Ｐ０ｗの結果に示されるようにジッタ増加を防いで、より確実に消去できる消去パワーを設定できる。
【００２８】
（４）前記消去パワーを所定量ずつ変化させて複数段階の消去パワーのレーザ光を連続的に照射して、試し消去を行うことを特徴とする。
【００２９】
この構成においては、消去パワーを所定量ずつ変化させた複数段階の消去パワーのレーザ光を連続的に照射して試し消去を行うことで、最適な消去パワーを容易に設定することが可能となる。
【００３０】
（５）前記試し消去した旧データ部分を再生して、再生信号中の雑音が所定値以下である部分を検出し、この部分に照射したレーザ光の消去パワーを前記最適な消去パワーに設定することを特徴とする。
【００３１】
この構成においては、複数段階の消去パワーのレーザ光を照射して試し消去した部分の再生信号中の雑音が所定値以下である消去パワーを選択するので、旧データを最も確実に消去できる消去パワーを設定することが可能となる。
【００３２】
（６）前記再生信号中の雑音が所定値以下である部分が複数ある場合、最小の消去パワーを最適な消去パワーに設定することを特徴とする。
【００３３】
この構成においては、データを上書きする際に書換型光ディスクに照射するレーザ光の消去パワーをデータを確実に消去可能な範囲で所定値以下の値に設定するので、レーザダイオードの劣化を抑制することができる。
【００３４】
（７）書換型光ディスクにレーザを照射するレーザ光照射手段と、
書換型光ディスクの情報記録領域に記録されている旧データに対して、前記レーザ光照射手段に消去パワーのレーザ光を連続的に照射させて試し消去を行い、この試し消去の結果に応じて最適な消去パワーを設定し、この消去パワーを適用して前記レーザ光照射手段に新データを上書きさせる制御手段と、を備えたことを特徴とする。
【００３５】
この構成においては、（１）と同様の効果を得ることができる。
【００３６】
（８）書換型光ディスクにレーザを照射するレーザ光照射手段と、
書換型光ディスクの情報記録領域に記録されている旧データに対して、前記レーザ光照射手段に消去パワーのレーザ光を連続的に照射させて試し消去を行い、この試し消去の結果に応じて第１の最適消去パワーを決定し、
前記書換型光ディスクの試し書き領域に記録パワーのレーザ光を照射させて試し書きを行い、この試し書きの結果に応じて第２の最適消去パワーを決定し、
前記第１の最適消去パワー及び前記第２の最適消去パワーから上書き時の消去パワーを設定し、この上書き時の消去パワーを適用して前記レーザ光照射手段に新データを上書きさせる制御手段と、を備えたことを特徴とする。
【００３７】
この構成においては、（２）と同様の効果を得ることができる。
【００３８】
【発明の実施の形態】
以下の説明では、書換型光ディスクの一例としてＣＤ−ＲＷにデータをオーバーライトする場合について説明する。まず、本発明の実施形態に係る光ディスク記録装置の詳細について説明する。図６は、本発明の実施形態に係る光ディスク記録装置の構成を示したブロック図である。本実施形態では、光ディスクに照射する光ビームとしてレーザ光を用いる構成を示す。図６に示すように、光ディスク記録装置１は、光ピックアップ１０、スピンドルモータ１１、ＲＦアンプ１２、サーボ回路１３、ＡＴＩＰ検出回路１４、デコーダ１５、制御部１６、エンコーダ１７、ストラテジ回路１８、レーザドライバ１９、レーザパワー制御回路２０、周波数発生器２１、クロストーク検出回路２２、エンベロープ検出回路２３、再生信号品位検出回路部２４、記憶部２５、操作部２７、及び表示部２８を備えている。また、光ピックアップ１０、サーボ回路１３、エンコーダ１７、ストラテジ回路１８、レーザドライバ１９及びレーザパワー制御回路２０によって、データの記録手段である記録部２９が構成されている。さらに、光ピックアップ１０及びＲＦアンプ１２によって、データの再生手段である再生部３０が構成されている。
【００３９】
スピンドルモータ１１は、データの記録対象である光ディスクＤを回転駆動するモータである。また、スピンドルモータの回転軸先端部には、光ディスクを保持（チャッキング）するためのターンテーブルなどからなる図外の光ディスク保持機構が設けられている。
【００４０】
光ピックアップ１０は、レーザダイオード、レンズ及びミラーなどの光学系、戻り光（反射光）受光素子、並びにフォーカスサーボ機構などを備えている。また、記録及び再生時にはレーザ光を光ディスクＤに対して照射して、光ディスクＤからの戻り光を受光して受光信号であるＥＦＭ（Ｅｉｇｈｔ  ｔｏ  Ｆｏｕｒｔｅｅｎ  Ｍｏｄｕｌａｔｉｏｎ）変調されたＲＦ信号をＲＦアンプ１２に出力する。なお、フォーカスサーボ機構は、光ピックアップ１０のレンズと光ディスクのデータ面との距離を一定に保つためのサーボ機構である。また、光ピックアップ１０は、モニタダイオードを備えており、光ディスクＤの戻り光によってモニタダイオードに電流が生じ、この電流がレーザパワー制御回路２０へ供給されるようになっている。
【００４１】
周波数発生器２１は、スピンドルモータ１１が出力した回転角度や回転数を検出して、その信号をサーボ回路１３に出力する。
【００４２】
ＲＦアンプ１２は、光ピックアップ１０から供給されるＥＦＭ変調されたＲＦ信号を増幅して、増幅後のＲＦ信号をサーボ回路１３、ＡＴＩＰ検出回路１４、クロストーク検出回路２２、エンベロープ検出回路２３、再生信号品位を測定する再生信号品位検出回路部２４、及びデコーダ１５に出力する。
【００４３】
デコーダ１５は、再生時には、ＲＦアンプ１２から供給されるＥＦＭ変調されたＲＦ信号をＥＦＭ復調して再生データを生成し、記憶部２５に出力する。また、デコーダ１５は、記録時には、テスト記録によって記録された領域を再生する際に、ＲＦアンプ１２から供給されたＲＦ信号をＥＦＭ復調する。
【００４４】
本実施形態に係る光ディスク記録装置１では、データを記録する際に、本データの記録に先立ち、光ディスクＤの内周側のＰＣＡ（Ｐｏｗｅｒ  Ｃａｌｉｂｒａｔｉｏｎ  Ａｒｅａ  ）領域にテスト記録を行う。そして、このテスト記録した領域の再生結果に基づいて、光ディスクＤに対して良好な記録を行える記録条件を求めるように構成されている。
【００４５】
ここで、光ディスクＤのテスト記録を行う領域について、図７を用いて説明する。図７は、光ディスクの領域構成を示した断面図である。光ディスクＤの外径は１２０ｍｍであり、光ディスクＤの直径４６〜５０ｍｍの区間がリードイン領域１１４として用意され、その外周側にデータを記録する情報記録領域１１８及び残余領域１２０が用意されている。一方、リードイン領域１１４よりも内周側には、内周側ＰＣＡ領域１１２が用意されている。また、内周側ＰＣＡ領域１１２には、テスト領域１１２ａと、カウント領域１１２ｂと、が用意されている。このテスト領域１１２ａには、前述のように本記録に先立ち、テスト記録が実施される。ここで、テスト領域１１２ａとしては、テスト記録を複数回行える領域が用意されている。また、カウント領域１１２ｂには、テスト記録終了時にテスト領域１１２ａのどの部分まで記録が終了しているかを示すＥＦＭ信号が記録される。したがって、次にこの光ディスクＤに対してテスト記録を行う際には、カウント領域１１２ｂのＥＦＭ信号を検出することにより、テスト領域１１２ａのどの位置からテスト記録を開始すれば良いかが、わかるようになっている。本実施形態に係る光ディスク記録装置１では、データの本記録を行う前に上記のテスト領域１１２ａへテスト記録を行っている。
【００４６】
図６に戻り、記憶部２５は、デコーダ１５から出力された光ディスクＤの再生データや、光ディスク記録装置１の外部から入力されたデータなどを一旦記憶する。そして、再生時には記憶したデータを図外のデータ再生部へ出力し、記録用光ディスクにデータを記録する時には、記憶したデータをエンコーダ１７へ出力する。
【００４７】
ＡＴＩＰ検出回路１４は、ＲＦアンプ１２から供給されたＲＦ信号中に含まれるウォブル信号成分を抽出し、このウォブル信号成分に含まれる各位置の時間情報（アドレス情報）、及び光ディスクを識別する識別情報（ディスクＩＤ）やディスクに使われている色素などのディスクの種類を示す情報を復号し、制御部１６に出力する。ここで、ウォブル信号成分とは、記録用光ディスクの蛇行した記録トラックの蛇行周波数を表す信号成分であり、時間情報や識別情報などは蛇行周波数をＦＭ変調することで記録されている。
【００４８】
クロストーク検出回路２２は、光ディスクに記録されたデータを再生して、隣接トラックの信号量（クロストーク量）を検出する。このクロストーク量は、トラックピッチやピットの幅（形状）によって変化する。
【００４９】
エンベロープ検出回路２３は、光ディスクＤへテスト記録を行う前に、光ディスクＤのテスト領域１１２ａのどの部分からテスト記録を開始するかを検出するために、上述した光ディスクＤのカウント領域１１２ｂでのＥＦＭ信号のエンベロープを検出する。
【００５０】
再生信号品位検出回路部２４は、光ディスクＤのテスト記録領域を再生している時に、ＲＦアンプ１２から供給されるＲＦ信号から再生信号品位に関係するβ値やアシンメトリを算出し、算出結果を制御部１６に出力する。ここで、β値は、ＥＦＭ変調された信号波形のピークレベル（符号は＋）をａ、ボトムレベル  （符号は−）をｂとすると、β＝（ａ＋ｂ）／（ａ−ｂ）で求めることができる。
【００５１】
サーボ回路１３は、スピンドルモータ１１の回転制御、並びに光ピックアップ１０のフォーカス制御、トラッキング制御、及び送り制御を行う。本実施形態に係る光ディスク記録装置１では記録時には、光ディスクＤを角速度一定で駆動する方式であるＣＡＶ（Ｃｏｎｓｔａｎｔ  Ａｎｇｕｌａｒ  Ｖｅｌｏｃｉｔｙ）方式と、光ディスクＤを線  速度一定にして駆動する方式であるＣＬＶ（Ｃｏｎｓｔａｎｔ  Ｌｉｎｅａｒ  Ｖｅｌｏｃｉｔｙ）方式と、を切り替えることができるようになっている。そのため、サーボ回路１３は、制御部１６から供給される制御信号に応じてＣＡＶ方式とＣＬＶ方式とを切り替える。ここで、サーボ回路１３によるＣＡＶ制御では、周波数発生器２１によって検出されるスピンドルモータ１１の回転数が、設定した回転数と一致するように制御される。また、サーボ回路１３によるＣＬＶ制御では、ＲＦアンプ１２から供給されるＲＦ信号中のウォブル信号が設定された速度倍率になるように、スピンドルモータ１１が制御される。
【００５２】
エンコーダ１７は、記憶部２５から供給される記録データをＥＦＭ変調し、ストラテジ回路１８に出力する。ストラテジ回路１８は、エンコーダ１７から供給されたＥＦＭ信号に対して時間軸補正処理などを行い、レーザドライバ１９に出力する。レーザドライバ１９は、ストラテジ回路１８から供給される記録データに応じて変調された信号と、レーザパワー制御回路２０の制御に従って光ピックアップ１０のレーザダイオードを駆動する。
【００５３】
レーザパワー制御回路２０は、光ピックアップ１０のレーザダイオードから照射されるレーザパワーを制御する。具体的には、レーザパワー制御回路２０は、光ピックアップ１０のモニタダイオードから供給される電流値と、制御部１６から供給される最適なレーザパワーの目標値を示す情報と、に基づいて、最適なレーザパワーのレーザ光が光ピックアップ１０から照射されるように、レーザドライバ１９を制御する。
【００５４】
制御部１６は、ＣＰＵ、ＲＯＭ、及びＲＡＭ等から構成されており、ＲＯＭに格納されたプログラムに従って光ディスク記録装置１の各部を制御する。また、制御部１６は、上述したようにデータの本記録に先立ち、光ディスク記録装置１にセットされた光ディスクＤの所定の領域に対し、テスト記録を行うように装置の各部を制御する。そして、制御部１６では、上述したテスト記録された領域を再生している際に得られる信号から、信号品位検出回路２４によって検出されたβ値などの再生信号品位に基づいて、光ディスク記録装置１がテスト記録を行った光ディスクＤに対して、再生信号品位と、目標βやライトストラテジなどの装置記録パラメータ（記録条件）との関係を求めることにより、記録エラーのない良好な記録を行うことができる記録可能速度を求める記録速度判定処理などを行う。
【００５５】
記憶部２５は、書換型光ディスクの型番毎にデータを記録、消去するための各種情報を記憶している。操作部２７は、光ディスクにデータを記録する操作を行うためのものである。表示部２８は、操作部２７で行った操作内容などユーザに伝達したい内容を、表示するためのものである。
【００５６】
［第１実施形態］
次に、本発明の第１実施形態に係る光ディスク記録装置について説明する。図２及び図３に基づいて説明したように、書換型光ディスクに照射するレーザ光の消去パワーの関係は、消去パワーが大きくなるのに従って、消去範囲が広くなる。そこで、書換型光ディスクにデータをオーバーライトする場合、旧データの記録条件の如何にかかわらず、旧データを消去できる所定の消去パワーのレーザ光を照射するように設定する方法が考えられる。
【００５７】
しかしながら、上記の方法の場合、レーザ光の照射パワーをある程度大きくしなければならず、レーザの消去パワーを大きくすると、書換型光ディスクや光ディスク記録装置１のレーザダイオードの劣化が早まってしまうという問題が発生する。
【００５８】
そこで、本発明の実施形態に係る光ディスク記録装置では、書換型光ディスクに記録された旧データに消去パワーのレーザ光を連続的に照射するＤＣ消去法により試し消去を行う。そして、試し消去の結果に応じて最適消去パワーを決定し、この最適消去パワーを適用してデータをオーバーライトする。
【００５９】
図８は、試し消去時に書換型光ディスクに照射するレーザ光の消去パワーを示した図である。オーバーライトする書換型光ディスクの旧データが記録された部分に、所定量ずつ消去パワーを増加または減少させながら複数段階の消去パワーのレーザ光を照射して、書換型光ディスクに記録された旧データをＤＣ消去法により試し消去する。例えば、図８に示すように１５段階で消去パワーを増加させてレーザ光を照射する。そして、試し消去した旧データ部分に再生レベルのレーザ光を照射して再生を行い、再生信号中の雑音レベルをエンベロープ検出回路で検出する。この時、雑音レベルが最小の部分を検出する。続いて、この雑音レベルが最小の部分に照射したレーザ光の消去パワーレベルを、この書換型光ディスクにデータをオーバーライトする際の消去パワーとして設定する。
【００６０】
ここで、雑音レベルが最小の部分が複数ある場合は、その中の最小の消去パワーレベルを選択すると良い。これにより、書換型光ディスク及びレーザダイオードの長寿命化を図ることができる。
【００６１】
なお、書換型光ディスクに記録された旧データを試し消去する場合、上記のように１５段階で消去パワーを増加させてレーザ光を照射する方法に代えて、以下のような方法を用いることもできる。すなわち、２つの異なる値の消去パワーのレーザ光を照射してＤＣ消去法により試し消去を行ってから、試し消去した旧データ部分に再生レベルのレーザ光を照射して再生を行い、再生信号中の雑音レベルをエンベロープ検出回路で検出する。そして、２つの異なる値の消去パワーで消去した旧データ部分の雑音レベルに基づいて最適消去パワーを割り出し、この最適消去パワーを適用してデータをオーバーライトする。
【００６２】
最適消去パワーの割り出し方法としては、例えば、実験などを行って予め雑音レベルと記録パワーの関係式を求めておき、この関係式に基づいて最適消去パワーを割り出すと良い。
【００６３】
以上のように、本発明の実施形態に係る光ディスク記録装置では、旧データを消去できる最小の消去パワーを決定することが可能となり、データをオーバーライトする際に、旧データの消し残りなどの影響が、新たに記録するデータに及ぶのを防止できる。
【００６４】
光ディスク記録装置で書換型光ディスクをオーバーライトする際に照射するレーザ光の記録パワーは、ＯＰＣを行って最適記録パワーを求めるようにすると良い。そして、書換型光ディスクの旧データ上に新データを上書きする際に照射するレーザ光は、上記のようにして決定した消去パワーと最適記録パワーとに設定すると良い。このようにすることで、書換型光ディスクに記録された旧データを確実に消去しながら、光ディスク記録装置に設定された書換型光ディスクに最適な記録パワーでデータを記録することができる。
【００６５】
なお、本発明の実施形態に係る光ディスク記録装置は、データをオーバーライトするのではなく新規にデータを記録する場合、試し消去を行わずに、ＯＰＣを行って求めた最適記録パワーを求める。そして、光ディスク記録装置に予め設定された記録パワーと消去パワーとの比であるε（＝消去パワー／記録パワー）に基づいて書換型光ディスクに最適な消去パワーを設定し、データを記録する。周知のように、光ディスク記録装置では、通常、実験などを行って求めた値であるεの値が設定されているので、ＯＰＣによって最適記録パワーが決定されると、消去パワーも自動的に決定される。光ディスク記録装置によってεの値は異なるが、例えばある光ディスク記録装置ではεの値は５０％に設定されている。
【００６６】
図９は、エンベロープ検出回路の詳細を示したブロック図である。光ディスク記録装置１では、エンベロープ検出回路２３で再生信号のＰＰ値を検出する。図９に示すように、エンベロープ検出回路２３は、ＡＣカプラ４１、微分回路４２、ボトムホールド回路（Ｂ／Ｈ）４３、ピークホールド回路（Ｐ／Ｈ）４４、及び演算回路（オペアンプ）４５から成る。
【００６７】
ＡＣカプラ４１は、ＲＦアンプ１２から出力された信号中の直流成分をカットして交流成分を微分回路４２へ出力する。微分回路４２は、ＡＣカプラ４１から出力された再生信号の雑音レベルを強調する。ボトムホールド回路４３は、微分回路４２から出力された信号のボトム値（ローレベル側のピーク値）Ａをホールドして出力する。ピークホールド回路４４は、微分回路４２から出力された信号のピーク値（ハイレベル側のピーク値）Ｂをホールドして出力する。演算回路４５は、ボトムホールド回路４３から出力されたボトム値Ａ及びピークホールド回路４４から出力されたピーク値Ｂを用いて演算を行いＰＰ値を求める。エンベロープ検出回路２３では、上記のような処理を行う各回路を連携させて、書換型光ディスクに記録されていた旧データを試し消去した再生信号の雑音レベルを求める。なお、エンベロープ検出回路２３は、旧データを試し消去した再生信号の雑音レベルが検出できる場合、微分回路４２を備えない構成であっても良い。また、さらに演算回路を設けて、オペアンプ４５の出力と所定値とを比較し、所定値以下の雑音レベルであることを検出する構成としても良い。この場合には、所定値は自然残留雑音レベルの平均値付近とすると良い。
【００６８】
旧データを試し消去した再生信号の雑音レベルは、ＯＰＣの直後に取得しても良いし、別の機会に取得しても良い。制御部１６は、エンベロープ検出回路２３から出力された値から、最も雑音レベルが小さい、つまりＰＰ値が最も小さい値を検出して、この時の消去パワーレベルを最適消去パワーの値として設定する。
【００６９】
次に、本発明の実施形態に係る光ディスク記録装置が、書換型光ディスクにオーバーライトする際の処理について説明する。図１０は、本発明の第１実施形態に係る光ディスク記録装置の記録動作を説明するためのフローチャートである。
【００７０】
図１０に示すように、ユーザは、ＣＤ−ＲＷにデータを記録する場合、まず、光ディスク記録装置１のディスクトレイにＣＤ−ＲＷをセットする。光ディスク記録装置１の制御部１６は、ＣＤ−ＲＷがセットされたことを検出すると（ｓ１）、ＣＤ−ＲＷをチャッキングした後、所定の場所まで光ピックアップ１０を移動し、レーザ光を照射して初期情報を取得する（ｓ２）。具体的には、まず、制御部１６は、光ディスクの種類を識別するためにレーザ光の反射率を判定する。この時、光ディスクの反射率が低ければ書換型の光ディスク（ＣＤ−ＲＷ）であり、反射率が高ければ追記型の光ディスク（ＣＤ−Ｒ）または読出型（非記録型）の光ディスク（ＣＤ−ＲＯＭ）であると判定できる。また、制御部１６は、光ディスク記録装置１にセットされた光ディスクのリードインエリアにおけるウォブル成分の有無を検出し、ウォブル情報があった場合にはＡＴＩＰ情報を検出する。ＡＴＩＰ情報を検出できた場合は、書換型または追記型の光ディスクと判定し、ＡＴＩＰ情報に含まれるディスクＩＤ（メーカーコード）やＳＴＬＩ（Ｓｔａｒｔ  Ｔｉｍｅ  ｏｆ  Ｌｅａｄ−Ｉｎ  Ａｒｅａ：メーカーコード及びディスクコードに相当）などの情  報を各種の制御に利用する。このように、制御部１６は、反射率とＡＴＩＰ情報とによって、書換型、追記型、及び読出型のいずれの光ディスクであるかを判定する。また、ＡＴＩＰ情報によって光ディスクのディスクＩＤを取得する。
【００７１】
続いて、制御部１６は、ユーザがセットしたＣＤ−ＲＷに対して行う処理を問い合わせる内容を表示部２８に表示する（ｓ３）。ユーザは、この表示に応じて、セットしたＣＤ−ＲＷに対して実行させたい処理を入力する。制御部１６は、操作部２７からの入力を検出すると（ｓ４）、データの再生が設定された場合  （ｓ５）、光ピックアップから書換型光ディスクに再生パワーのレーザ光を照射させてデータの再生処理を行う（ｓ６）。制御部１６は、データの再生が完了すると処理を終了する。
【００７２】
一方、制御部１６は、データの記録が設定された場合（ｓ５）、記録動作が初期記録であるか上書きであるかを判定する（ｓ７）。具体的には、リードインエリア及びＰＭＡにおけるＥＦＭ信号の有無を判定し、双方またはリードインエリアにＥＦＭ信号が記録されていない場合は初期記録と判定する。制御部１６は、ＣＤ−ＲＷがブランクディスクまたは記録途中である場合、光ディスクＤのデータを未記録の領域に初めてデータを記録するので、ＰＣＡでＯＰＣを行って最適記録パワーを決定する（ｓ８）。そして、制御部１６は、ＣＤ−ＲＷにデータを記録または追記して（ｓ９）、処理を終了する。
【００７３】
一方、制御部１６は、ステップｓ７において、ＣＤ−ＲＷのリードインエリア及びＰＭＡにＥＦＭ信号が記録されている場合、上書きを行うと判定して、まずＯＰＣを行って最適記録パワーを設定する（ｓ１１）。具体的には、ＣＤ−ＲＷのＰＣＡにて、所定のパワー増分を繰り返して１５段階の記録パワーレベルで試し書きを行う。続いて、試し書きしたデータを再生し、再生信号を再生信号品位検出回路部２４へ出力し、β値を求めて、このβ値が所定の値に最も近い領域を記録したパワーレベルを最適記録パワーレベルとする。
【００７４】
続いて、光ディスク記録装置１の制御部１６は、オーバーライトする書換型光ディスクに対して試し消去を行う（ｓ１２）。具体的には、制御部１６は、書換型光ディスクに記録されている旧データに対して、例えば１５段階の消去パワーのレーザ光を照射してＤＣ消去法により試し消去を行う。この時、制御部１６は、データのアドレス情報を取得しながら試し消去を行い、アドレスと消去パワーとの関係を一時的に記憶する。続いて、制御部１６は、試し消去したデータ部分を再生して（ｓ１３）、エンベロープ検出回路２３から出力されたＰＰ値から最小値（雑音レベルの最小値）及びそのアドレスを検出する（ｓ１４）。そして、制御部１６は、検出したアドレス情報からレーザ光の消去パワーを読み出して、その値を最適消去パワーとして設定する（ｓ１５）。
【００７５】
制御部１６は、ステップｓ１５で設定した最適消去パワーと、ステップｓ１１で設定した最適記録パワーと、のレーザ光を書換型光ディスクに照射して、旧データ上に新データをオーバーライトする（ｓ１６）。制御部１６は、データの記録が完了したら、処理を終了する。
【００７６】
［第２実施形態］
次に、本発明の第２実施形態に係る光ディスク記録装置の詳細について説明する。本発明の第２実施形態に係る光ディスク記録装置では、書換型光ディスクにオーバーライトする際に、書換型光ディスクに記録されている旧データに対して試し消去を行う。そして、試し消去したデータのトラック部分を再生して、再生信号の雑音レベルが最小となる消去パワーを第１の最適消去パワーに決定する。この決定方法は第１実施形態と同様の方法である。また、ＯＰＣ（試し書き）を行って最適記録パワーを決定し、最適記録パワー及び最適消去パワーの予め光ディスク記録装置に設定された比εに基づいて第２の最適消去パワーを決定する。これは新規にデータを書き込む場合と同様の方法である。そして、第１の最適消去パワー及び第２の最適消去パワーに基づいて上書き時の消去パワーを設定し、この消去パワーを用いて新データを上書きする。
【００７７】
上書き時の消去パワーは、例えば、第１の最適消去パワー及び第２の最適消去パワーの大きさに基づいて決定する。すなわち、第１の最適消去パワーが第２の最適消去パワーよりも小さい場合は、第２の最適消去パワーを上書き時の消去パワーに設定する。一方、第１の最適消去パワーが第２の最適消去パワーよりも大きい場合は、第１の最適消去パワーを上書き時の消去パワーに設定する。このようにして上書き時の消去パワーを設定することで、書換型光ディスクに記録された旧データを確実に消去できる消去パワーを設定できる。また、第２の最適消去パワーを上書き時の消去パワーに設定する場合、ＯＰＣの結果及びεの値に基づいて設定しているので、光ディスク記録装置にの消去パワーを大きく変更することなく速やかに上書き時の消去パワーを設定できる。
【００７８】
また、上書き時の消去パワーは、例えば、第１の最適消去パワー及び第２の最適消去パワーの大きさに基づいて両消去パワーの中間値に設定することもできる。例えば、第１の最適消去パワーが第２の最適消去パワーよりも小さい場合は、第２の最適消去パワーよりも大きく第１の最適消去パワーよりも小さな消去パワーを上書き時の消去パワーに設定することができる。
【００７９】
試し消去を行って最適消去パワーを設定した場合、消去パワーが大きい値に設定されると、レーザダイオードや書換型光ディスクの劣化が進むおそれがある。このような場合、例えば、第２の最適消去パワーに基づいて、旧データの雑音レベルが問題ない範囲で第１の最適消去パワーを小さくする補正を行って、この値を上書き時の消去パワーに設定すると良い。これにより、書換型光ディスクに記録された旧データを多少消し残りが在ったとしても問題が無い範囲で消去できるとともに、光ディスク記録装置のレーザダイオードや書換型光ディスクの劣化を抑制できる。
【００８０】
次に、本発明の実施形態に係る光ディスク記録装置が、書換型光ディスクにオーバーライトする際の処理について説明する。図１１は、本発明の第２実施形態に係る光ディスク記録装置の記録動作を説明するためのフローチャートである。なお、以下の説明では、図１０に示したフローチャートと同様な部分を省略して、書換型光ディスクデータをオーバーライト（上書き）する処理について説明する。
【００８１】
制御部１６は、ステップｓ７において、ＣＤ−ＲＷのリードインエリア及びＰＭＡにＥＦＭ信号が記録されている場合、上書きを行うと判定して、まずＯＰＣを行って最適記録パワーを設定する（ｓ２１）。具体的には、ＣＤ−ＲＷのＰＣＡにて、所定のパワー増分を繰り返して１５段階のパワーレベルで試し書きを行う。続いて、試し書きしたデータを再生し、再生信号を再生信号品位検出回路部２４へ出力し、β値を求めて、このβ値が所定の値に最も近い領域を記録したパワーレベルを最適記録パワーレベルとする。そして、制御部１６は、記憶部２５に格納されている最適記録パワー及び最適消去パワーの比の値であるεを読み出して最適消去パワーＰｅ１を決定し、この値を保持する（ｓ２２）。
【００８２】
続いて、光ディスク記録装置１の制御部１６は、オーバーライトする書換型光ディスクに対して試し消去を行う（ｓ２３）。具体的には、制御部１６は、書換型光ディスクの情報記録領域に記録されている旧データに対して、例えば消去パワーのレーザ光を連続的に照射する試し消去を１５段階のパワーレベルで行う。この時、制御部１６は、データのアドレス情報を取得しながら試し消去を行い、アドレスと消去パワーとの関係を一時的に記憶する。続いて、制御部１６は、試し消去したデータ部分を再生して（ｓ２４）、エンベロープ検出回路２３から出力されたＰＰ値から最小値（雑音レベルの最小値）及びそのアドレスを検出する（ｓ２５）。そして、制御部１６は、検出したアドレス情報からレーザ光の消去パワーを読み出して、その値を最適消去パワーＰｅ２として決定する（ｓ２６）。
【００８３】
制御部１６は、ステップｓ２２で決定した最適消去パワーＰｅ１と、ステップｓ２６で決定した最適消去パワーＰｅ２と、の値を比較する（ｓ２７）。その結果、最適消去パワーＰｅ１が最適消去パワーＰｅ２以下の場合は、最適消去パワーＰｅ２を上書き時の消去パワーに設定する（ｓ２８）。一方、最適消去パワーＰｅ１が最適消去パワーＰｅ２よりも大きい場合は、最適消去パワーＰｅ１を上書き時の消去パワーに設定する（ｓ２９）。
【００８４】
制御部１６は、ステップｓ２８またはステップｓ２９で設定した上書き時の消去パワーと、ステップｓ２１で設定した最適記録パワーと、のレーザ光を書換型光ディスクに照射して、旧データ上に新データをオーバーライトする（ｓ３０）。制御部１６は、データの記録が完了したら、処理を終了する。
【００８５】
以上、記録媒体がＣＤ−ＲＷの場合について説明したが、本発明はＤＶＤ−ＲＷ及びＤＶＤ＋ＲＷの場合にも適用可能である。
【００８６】
【発明の効果】
本発明によれば、以下の効果が得られる。
【００８７】
（１）書換型光ディスクに記録された旧データを試し消去して、旧データを完全に消去することができる最適な消去パワーを設定し、この消去パワーを適用してデータを上書きすることにより、旧データを完全に消去して旧データの影響を受けることなく新データを再生できる。
【００８８】
（２）試し消去の結果に応じて決定した第１の最適消去パワーと、試し書きの結果に応じて決定した第２の最適消去パワーと、から上書き時の消去パワーを設定することで、書換型光ディスクにレーザ光を照射するレーザダイオードや書換型光ディスクの劣化を抑制できる。
【００８９】
（３）書換型光ディスクに記録された旧データを、より確実に消去できる消去パワーを設定できる。
【００９０】
（４）消去パワーを所定量ずつ変化させた複数段階の消去パワーのレーザ光を照射して試し消去を行うことにより、最適な消去パワーを容易に設定できる。
【００９１】
（５）複数段階の消去パワーのレーザ光を照射して試し消去した部分の再生信号中の雑音が所定値以下である消去パワーを選択することにより、旧データを最も確実に消去できる消去パワーを設定できる。
【００９２】
（６）データを上書きする際に書換型光ディスクに照射するレーザ光の消去パワーをデータを確実に消去可能な範囲で所定値以下の値に設定して、レーザダイオードの劣化を抑制できる。
【図面の簡単な説明】
【図１】書換型光ディスクのオーバーライト回数とジッタとの関係、及び異なる記録パワーで光ディスクにオーバーライトを行った時のジッタの変化を示したグラフである。
【図２】書換型光ディスクに形成されるピットの形状を示した図である。
【図３】書換型光ディスクにオーバーライトする際のイメージ図である。
【図４】書換型光ディスク用のライトストラテジの一例である。
【図５】光ディスク記録装置のレーザ光のスポット形状及び書換型光ディスクに形成されるピットの形状を示した図である。
【図６】本発明の実施形態に係る光ディスク記録装置の構成を示したブロック図である。
【図７】光ディスクの領域構成を示した断面図である。
【図８】試し消去時に書換型光ディスクに照射するレーザ光の消去パワーを示した図である。
【図９】エンベロープ検出回路の詳細を示したブロック図である。
【図１０】本発明の第１実施形態に係る光ディスク記録装置の記録動作を説明するためのフローチャートである。
【図１１】本発明の第２実施形態に係る光ディスク記録装置の記録動作を説明するためのフローチャートである。
【符号の説明】
１−光ディスク記録装置      １０−光ピックアップ
１１−スピンドルモータ        １２−ＲＦアンプ
１３−サーボ回路              １４−ＡＴＩＰ検出回路
１６−制御部                  ２０−レーザパワー制御回路
２２−クロストーク検出回路    ２５−記憶部
２７−操作部                  ２８−表示部
【図１】
2004273074.tif 000003
【図２】
2004273074.tif 000004
【図３】
2004273074.tif 000005
【図４】
2004273074.tif 000006
【図５】
2004273074.tif 000007
【図６】
2004273074.tif 000008
【図７】
2004273074.tif 000009
【図８】
2004273074.tif 000010
【図９】
2004273074.tif 000011
【図１０】
2004273074.tif 000012
【図１１】
2004273074.tif 000013